(57)【要約】      （修正有）【課題】取り外し交換が便利で、水絞り効果を向上させることでき、使用の利便性を高めることができるモップ構造を提供する。【解決手段】モップ管、調整スリーブ、スライドキャップ、引き手、水絞りヘッド、２個の連動アーム、クリーンアップ部品を含み、調整スリーブをモップ管に嵌入し、モップ管の固定部に隣接させ、調整スリーブをモップ管に相対して回転させる。調整スリーブをモップ管は調整スリーブネジヤマを含み、スライドキャップは該調整スリーブネジヤマと対応螺合するスライドキャップネジヤマを含む。スライドキャップはモップ管に相対して上下に移動し、調整スライドキャップはモップ管の高低位置に相対し、調整クリーンアップ部品と水絞りローラーとの間の相対距離に相対する。クリーンアップ部品は引き手と連動アームの連動を受けて、空間を経過し、水絞りローラーの圧迫を受ける。【選択図】図３
0003143695.tif 000002
【実用新案登録請求の範囲】
【請求項１】
モップ管、調整スリーブ、スライドキャップ、引き手、水絞りヘッド、２個の連動アーム、クリーンアップ部品を含み、
該モップ管は、適当な位置に固定部が設置され、
該調整スリーブは、該モップ管に嵌入され、該固定部に隣接し、該モップ管に対して相対回転し、調整スリーブネジヤマを含み、
該スライドキャップは、該モップ管にスライド設置され、スライドキャップネジヤマを含み、該スライドキャップネジヤマは該調整スリーブの該調整スリーブネジヤマと対応螺合し、
該引き手は、該スライドキャップに可動設置され、該スライドキャップに相対して上下にスイング動し、
該水絞りヘッドは、該モップ管の下端に組合せ設置され、少なくとも２個の水絞りローラーを含み、該２個の水絞りローラーは相対側に位置し、相互に間隔を開けて空間を形成し、
該２個の連動アームは、それぞれ上縁及び下縁を含み、該上縁は該引き手に可動設置されて該引き手に相対して転動し、該下縁は係合片を含み、
該クリーンアップ部品は、２個の係合孔を含み、該各係合孔はそれぞれ該各連動アームの該係合片と相互に対応係合し、該クリーンアップ部品は該引き手と各連動アームの連動を受け、該空間を経過して該各水絞りローラーの圧迫を受けることを特徴とするモップ構造。
【請求項２】
前記モップ管の前記固定部は固定キャップを含み、
前記該適当な位置とは、前記モップ管の頂端を指すことを特徴とする請求項１記載のモップ構造。
【請求項３】
前記モップ構造はさらに上切断モップ管を含み、それを前記固定部の前記固定キャップに組合せ設置することを特徴とする請求項２記載のモップ構造。
【請求項４】
前記調整スリーブの前記調整スリーブネジヤマは内ネジヤマであり、前記スライドキャップの前記スライドキャップネジヤマは外ネジヤマであることを特徴とする請求項１記載のモップ構造。
【請求項５】
前記水絞りヘッドは２個の通孔を含み、
前記各連動アームはそれぞれ該各通孔を貫通することを特徴とする請求項１記載のモップ構造。
【請求項６】
前記モップ管の前記下端は少なくとも１個の固定孔を含み、前記水絞りヘッドは開孔を含み、該開孔は該固定孔に対応しており、
螺固部品は該開孔と該固定孔を貫通し、該水絞りヘッドを該モップ管の該下端に螺固組合せ設置することを特徴とする請求項１記載のモップ構造。
【請求項７】
前記各連動アームの前記上縁は、可動設置部品により前記引き手に可動設置されることを特徴とする請求項１記載のモップ構造。
【請求項８】
前記クリーンアップ部品は綿の布及び固定バーを含み、該綿の布は該固定バーに設置され、前記２個の係合孔を該固定バーに開設することを特徴とする請求項１記載のモップ構造。
【考案の詳細な説明】
【技術分野】
【０００１】
本考案は、モップ構造に係り、特に、取り外し交換が便利で、水絞り効果を向上させることでき、使用の利便性を高めることができるモップ構造に関する。
【背景技術】
【０００２】
従来のモップ構造の分解図である図１、及び従来のモップ構造の断面図である図２に示すように、従来のモップ構造９は、モップ管９１、引き手９２、水絞りヘッド９３、２個の連動アーム９４及び綿の布９５を含む。
【０００３】
該モップ管９１は該水絞りヘッド９３と相互に組合せ設置し、該水絞りヘッド９３は相対側に位置する複数の水絞りローラー９３１を含む。
【０００４】
該引き手９２を、該モップ管９１に可動設置し、該モップ管９１に相対して上下にスイング動することができる。
【０００５】
該各連動アーム９４は該水絞りヘッド９３を貫通し、また、該各連動アーム９４の一端を引き手９２に可動設置し、反対端をネジ９４１により綿の布９５に螺合する。
【０００６】
使用時、先ず綿の布９５を水に浸し、次に該引き手９２を引き動かして、これにより該モップ管９１に相対して上方へ向く。この時、該引き手９２は該各連動アーム９４を連動して上方に移動させ、相対的に、該各連動アーム９４はさらに該綿の布９５を連動して上方に移動させる。これと同時に、該綿の布９５は、該水絞りローラー９３１を経由しその圧迫を受けることで、水絞り動作を行うことができ、脱水の目的を達成する。
【０００７】
しかし、該各連動アーム９４はネジ９４１により綿の布９５に螺合されるため、工具（例えば、スクリュードライバーなど）を利用し、該綿の布９５を取り外し交換する必要があり、操作が比較的複雑であり、しかも一般の主に家事作業に従事する女性にとっては非常に面倒である。
【０００８】
また、該綿の布９５は、一定期間使用されると、老化し緩むという問題を生じる。図２に示すように、該綿の布９５は伸び、下垂する現象が生じられて、図２に示す弛緩部分９５１を形成する。この状態で、該引き手９２を引き動かし、該綿の布９５を連動し上方に移動させて、該水絞りローラー９３１を経由させると、該綿の布９５は該水絞りローラー９３１の圧迫を受けて脱水を行うが、その効果は劣る。
【０００９】
一方、該綿の布９５は、該水絞りローラー９３１にぴったりと接触することができないため、床のモップ掛け作業を行う時、揺れ動き、さらには強く引っ張られて断裂することもあり、理想的ではない。
【００１０】
よって、取り外し交換が便利で、水絞り効果を向上させることができ、しかも使用の利便性を高めることができるモップ構造の開発が本考案の目指すところである。
【考案の開示】
【考案が解決しようとする課題】
【００１１】
上記従来のモップ構造の欠点に鑑み、考案人は完璧を志し、研究による克服に心を尽くし、該項産業に従事して来た多年の経験を生かして、取り外し交換が便利で、水絞り効果を向上させることができ、しかも使用の利便性を高めることができるモップ構造の開発を目指した。
【００１２】
本考案が解決しようとする課題は、構造上の設計改変により、取り外し交換が便利で、水絞り効果を向上させ、しかも使用の利便性を高める目的を達成するモップ構造を提供することである。
【課題を解決するための手段】
【００１３】
上記課題を解決するため、本考案は下記のモップ構造を提供する。
【００１４】
本考案のモップ構造は、モップ管、調整スリーブ、スライドキャップ、引き手、水絞りヘッド、２個の連動アーム及びクリーンアップ部品を含み、
該モップ管は、適当な位置に固定部を設置しており、
該調整スリーブは、該モップ管に嵌入され、該固定部に隣接し、該モップ管に対して相対回転し、調整スリーブネジヤマをさらに含み、
該スライドキャップは、該モップ管にスライド設置され、スライドキャップネジヤマを含んでおり、該スライドキャップネジヤマは該調整スリーブの調整スリーブネジヤマと対応螺合し、
該引き手は、スライドキャップに可動設置され、該スライドキャップに相対し上下にスイング動し、
該水絞りヘッドは、該モップ管の下端に組合せ設置され、少なくとも２個の水絞りローラーを含み、それは相対側に位置して、相互に間隔を開け空間を形成し、
該各連動アームは、上縁及び下縁を含み、そのうち、該上縁は該引き手に可動設置されて、該引き手に相対転動し、該下縁は係合片を含み、
該クリーンアップ部品は、２個の係合孔を含み、該各係合孔はそれぞれ該各連動アームの係合片と相互に対応係合し、該クリーンアップ部品は該引き手と該各連動アームの連動を受けて、空間を経過し、該各水絞りローラーの圧迫を受ける。
【考案の効果】
【００１５】
上記のように、本考案は、係合片と係合孔の相互対応係合の構造設計を利用するため、クリーンアップ部品の取り外し交換が容易であり、別に工具を使用する必要がないため、使用上より便利である。また、調整スリーブの調整スリーブネジヤマとスライドキャップのスライドキャップネジヤマの相互対応螺合の構造設計を利用するため、スライドキャップはモップ管に相対して上下に移動し、調整スライドキャップはモップ管の高低位置に相対し、調整クリーンアップ部品と水絞りローラーとの間の相対距離（クリーンアップ部品と水絞りローラーの相互密合或いは分離を調整）に相対する。これによって、従来のクリーンアップ部品が老化し緩むことで発生する水絞り効果低下、不安定、さらには強く引っ張られて断裂を発生する問題を回避することができる。
【考案を実施するための最良の形態】
【００１６】
本考案の目的、特徴及び機能と効果を明らかにするため、以下に図面に基づいて具体的実施例を詳細に説明する。
【００１７】
本考案の第一最適実施例の分解図である図３、本考案の第一最適実施例の一つの組合せ図である図４、及び本考案の第一最適実施例の一つの断面図である図５に示すように、モップ構造１は、モップ管１１、調整スリーブ１２、スライドキャップ１３、引き手１４、水絞りヘッド１５、２個の連動アーム１６及びクリーンアップ部品１７を含む。
【００１８】
図中のモップ管１１は、適当な位置１１１に固定部１１３を設置しており、本実施例では、適当な位置１１１は該モップ管１１の頂端を指す。また、該固定部１１３は固定キャップ１１４を含み、該固定キャップ１１４は緊密対応方式で該モップ管１１の適当な位置１１１に嵌設される。
【００１９】
使用及び收納時の利便性のため、本実施例では、該モップ管１１を長さが比較的短い型式に設計し、該モップ管１１は上切断モップ管１０１を含み、該上切断モップ管１０１は該固定キャップ１１４に組合せ設置される。また、該モップ管１１は該上切断モップ管１０１と該固定キャップ１１４により相互に接合されており、本実施例では、同様に緊密対応方式で該上切断モップ管１０１を該固定キャップ１１４に組合せ設置する。該上切断モップ管１０１或いは該モップ管１１上に複数の環状細長突起を設計し、該固定キャップ１１４内に複数の環状凹槽を設計する。該上切断モップ管１０１或いは該モップ管１１を該固定キャップ１１４に挿入する時、該環状細長突起と該環状凹槽とを相互に対応嵌合させることができる。もちろん、前記接合方式に限定されるものではなく、一般の機械構造設計上、前記同様の効果を得ることができる方式はすべて採用することができる。また、該上切断モップ管１０１と該モップ管１１を２段式設計としたが、もちろん、３段以上にすることもでき、必要に応じて変化させることができる。
【００２０】
また、図中の調整スリーブ１２を該上記モップ管１１に嵌入して、該固定部１１３に隣接する。該調整スリーブ１２は該モップ管１１に対応して回転し、該調整スリーブ１２は調整スリーブネジヤマ１２１を含む。本実施例において、該調整スリーブ１２の調整スリーブネジヤマ１２１は内ネジヤマである。
【００２１】
また、図中のスライドキャップ１３を該モップ管１１にスライド設置し、該スライドキャップ１３はスライドキャップネジヤマ１３１を含む。本実施例において、該スライドキャップネジヤマ１３１は外ネジヤマであって、該調整スリーブ１２の調整スリーブネジヤマ１２１と対応螺合する。
【００２２】
さらに、図中の引き手１４を該スライドキャップ１３に可動設置し、該スライドキャップ１３に相対し上下にスイング動させる。該水絞りヘッド１５を該モップ管１１の下端１１２に組合せ設置し、該水絞りヘッド１５は２個の通孔１５３及び４個の水絞りローラー１５１を含む。該水絞りローラー１５１は２個が一列を成し、相対側に位置し、相互に間隔を開けて空間１５２を形成する。
【００２３】
該引き手１４を該スライドキャップ１３に可動設置し、該スライドキャップ１３に相対し、可動設置位置を支点として、上下にスイング動させる方式は、一般の機械構造設計上、前記目的を達成することができる方式はすべて採用することができる。例えば、凸点と凹槽を相互に対応嵌合し、支点とする方式等（図３参照）がある。
【００２４】
本実施例において、該モップ管１１の下端１１２は固定孔１１５を含み、該水絞りヘッド１５は開孔１５４を含む。該開孔１５４は該固定孔１１５に対応し、螺固部品１５５により該開孔１５４とそれが対応する固定孔１１５を貫通する。こうして該水絞りヘッド１５を該モップ管１１の下端１１２に螺固組合せ設置させる。該螺固部品１５５は本実施例中ではネジを使用し、もちろん、挿入ピン或いは他の相同効果を備える螺固部品を使用することができる。
【００２５】
また、図中の各連動アーム１６はそれぞれ上縁１６１及び下縁１６２を含み、該上縁１６１を該引き手１４に可動設置し、該引き手１４に相対して転動する。該下縁１６２は係合片１６３を含む。本実施例において、該各連動アーム１６はそれぞれ該水絞りヘッド１５の該各通孔１５３を貫通し、該各連動アーム１６の上縁１６１は可動設置部品１６４により該引き手１４に可動設置される。該可動設置部品１６４は本実施例中では挿入ピンを使用するが、もちろんネジ或いは他の相同効果を備える可動設置部品を使用することができる。
【００２６】
さらに、図中のクリーンアップ部品１７は２個の係合孔１７１を含み、本実施例において、該クリーンアップ部品１７は綿の布１７０及びＵ字型を呈する固定バー１７２を含む。そして該綿の布１７０を該固定バー１７２に設置し、該２個の係合孔１７１をそれぞれ該固定バー１７２に開設する。
【００２７】
使用時、先ず該クリーンアップ部品１７の該各係合孔１７１をそれぞれ該各連動アーム１６の係合片１６３と相互に対応係合させ、該各連動アーム１６をその係合片１６３により該クリーンアップ部品１７の該各係合孔１７１に対応係合する。こうして該クリーンアップ部品１７を該連動アーム１６上に設置することができる。
【００２８】
次に、該クリーンアップ部品１７を床のモップ掛けに用いる洗剤入り水（図示なし）中に浸し、続いて、該引き手１４を引き動かすことで、該スライドキャップ１３に相対して上方へ向くと、該クリーンアップ部品１７は該引き手１４と該各連動アーム１６との連動を受け、上方へ移動する。さらに、該水絞りヘッド１５の水絞りローラー１５１が相互に間隔を開け形成する空間１５２を経過し、該各水絞りローラー１５１の圧迫を受けて、クリーンアップ部品１７脱水の目的を達成する。反対に、該引き手１４を引き動かし、それを該スライドキャップ１３に相対して下方へとスライド動させると、該引き手１４は該連動アーム１６を連動し下方へ移動して、該クリーンアップ部品１７と該水絞りローラー１５１とを分離させる。
【００２９】
上記のように、該クリーンアップ部品１７と該連動アーム１６の相互設置方式として該係合片１６３と該係合孔１７１との相互対応係合を使用するため、該クリーンアップ部品１７は非常に容易に該連動アーム１６上に設置される。また該係合片１６３と該係合孔１７１の相互対応係合の構造設計を利用し、該クリーンアップ部品１７の取り外し交換が容易で、別に工具を使用する必要がないため、使用上より便利である。
【００３０】
図４、図５、そして本考案の第一最適実施例の他の一つの組合せ図である図６及び本考案の第一最適実施例の他の一つの断面図である図７に示すように、該回転調整スリーブ１２の調整スリーブネジヤマ１２１とそれに対応螺合するスライドキャップネジヤマ１３１の上下相対運動原理により、該スライドキャップ１３は該モップ管１１に対応して上下にスライド移動する。また該調整スリーブ１２の調整スリーブネジヤマ１２１とスライドキャップ１３のスライドキャップネジヤマ１３１との相互対応螺合の構造設計を利用し、該調整スライドキャップ１３は該モップ管１１の高低位置に相対する。こうして、該クリーンアップ部品１７に一定時間の使用を経て老化し緩む問題が発生した時、該調整クリーンアップ部品１７と該水絞りローラー１５１との間の相対距離（該水絞りローラー１５１を一定距離下降させ、これにより該クリーンアップ部品１７が老化し緩むことにより発生する伸びの長さを補うことができ、したがって、最下方に位置する水絞りローラー１５１が元の正常状態のように該クリーンアップ部品１７に接触する）により、従来のクリーンアップ部品が老化し緩むことにより発生する水絞り効果の低下、不安定、さらには強く引っ張られて断裂を発生する問題を回避することができる。
【００３１】
もちろん、図７に示すように、もし該調整スリーブ１２と該スライドキャップ１３とを完全に緩めてしまう時、該クリーンアップ部品１７を該水絞りローラー１５１から一定の距離を退出させ、これにより該クリーンアップ部品１７の取り外し交換が便利となる。
【００３２】
本考案の第二最適実施例の分解図である図８に示すように、本実施例の主要な構造はすべて上記第一最適実施例と同じである。その区別として、該モップ管２１の下端２１２の固定孔２１５が複数（図中では３個）であり、該水絞りヘッド２５の開孔２５４は該複数の固定孔２１５のうちの一つに対応し、螺固部品２５５（同様にネジ、挿入ピン或いは相同効果を備える他の螺固部品とすることができる）により該開孔２５４とそれが対応する複数の固定孔２１５のうちの一つを貫通し、これにより該水絞りヘッド２５を該モップ管２１の下端２１２に螺固組合せ設置させる点である。
【００３３】
このような構造設計の目的は、該クリーンアップ部品２７が老化し緩むことにより発生する水絞り効果の低下、不安定、さらには強く引っ張られて発生する断裂問題を回避するために、該回転調整スリーブ２２により該スライドキャップ２３を調整して、該モップ管２１の高低位置に相対させる。しかし、その調整の距離がやはり不十分である時、複数の固定孔２１５の構造設計により、該水絞りヘッド２５は該固定孔２１５を利用し、該水絞りヘッド２５を調整して該モップ管２１の高低位置に相対させる。このように、該スライドキャップ２３を、該回転調整スリーブ２２を利用して調整することができる外に、該固定孔２１５の構造設計により補助することができる。これにより、該クリーンアップ部品２７と該水絞りローラー２５１との相対距離を調整することで、従来のクリーンアップ部品が老化し緩むことで発生する水絞り効果の低下、揺れ動く、さらには強く引っ張られて発生する断裂等問題を回避する機能と効果を強化することができる。
【００３４】
上記のように、本考案は、新規性、進歩性、産業上の利用可能性という実用新案の三要件に完全に符合している。取り外し交換が便利で、水絞り効果を向上することができ、さらに使用の利便性を高めることができるため、新規性、進歩性を備え、本考案から派生する製品を利用すると、現在の市場のニーズに応えることができるため、産業上の利用可能性を備える。
【図面の簡単な説明】
【００３５】
【図１】従来のモップ構造の分解図である。
【図２】従来のモップ構造の断面図である。
【図３】本考案の第一最適実施例の分解図である。
【図４】本考案の第一最適実施例の一つの組合せ図である。
【図５】本考案の第一最適実施例の一つの断面図である。
【図６】本考案の第一最適実施例の他の一つの組合せ図である。
【図７】本考案の第一最適実施例の他の一つの断面図である。
【図８】本考案第二最適実施例の分解図である。
【符号の説明】
【００３６】
１、９            モップ構造
１０１            上切断モップ管
１１、２１、９１  モップ管
１１１            適当な位置
１１２、２１２    下端
１１３            固定部
１１４            固定キャップ
１１５、２１５    固定孔
１２、２２        調整スリーブ
１２１            調整スリーブネジヤマ
１３、２３        スライドキャップ
１３１            スライドキャップネジヤマ
１４、９２        引き手
１５、２５、９３  水絞りヘッド
１５１、２５１、９３１    水絞りローラー
１５２            空間
１５３            通孔
１５４、２５４    開孔
１５５、２５５    螺固部品
１６、９４        連動アーム
１６１            上縁
１６２            下縁
１６３            係合片
１６４            可動設置部品
１７、２７        クリーンアップ部品
１７０、９５      綿の布
１７１            係合孔
１７２            固定バー
９４１            ネジ
９５１            弛緩部分
【図１】
0003143695.tif 000003
【図２】
0003143695.tif 000004
【図３】
0003143695.tif 000005
【図４】
0003143695.tif 000006
【図５】
0003143695.tif 000007
【図６】
0003143695.tif 000008
【図７】
0003143695.tif 000009
【図８】
0003143695.tif 000010